(57)【要約】【課題】  電磁誘導パルスなどのパルスを用いた電子式使用量メータの利点を活かし、しかも従来のアナログ式流体使用量メータに対応した検針盤にも接続が可能とする。【解決手段】  流体使用量に応じた信号を検針盤に送る流体使用量メータ４０であって、流体使用量に比例して回転する羽根車１と、羽根車１とともに回転する永久磁石２と、永久磁石２の回転を検出してパルスを出力する磁気センサ３、４と、パルスに基づいて羽根車１の回転の正逆を判定して正逆信号を出力する正逆判定部５ｂと、パルスに基づいて回転検出を行ない、計量パルスを出力する回転検出部５ａと、正逆信号および計量パルスに基づいて積算して積算信号を出力する積算計算部５ｃと、積算信号を積算アナログ出力に変換する積算アナログ出力部６と、積算信号に基づいて電文および積算パルス信号を出力する電文パルス出力部７と、検針盤の種類により、積算アナログ出力部６または電文パルス出力部７の一方のみを選択して出力する切替部８と、を有する。【選択図】  図１
2006250780.tif 000002
【特許請求の範囲】
【請求項１】
流体の使用量に応じた信号を検針盤に送る流体使用量メータにおいて、
流体の使用量に比例して回転する羽根車と、
この羽根車とともに回転する永久磁石と、
この永久磁石の回転を検出してパルスを出力する磁気センサと、
前記パルスに基づいて前記羽根車の回転の正逆を判定して正逆信号を出力する正逆判定部と、
前記パルスに基づいて回転検出を行ない、計量パルスを出力する回転検出部と、
前記正逆信号および計量パルスに基づいて積算して積算信号を出力する積算計算部と、
前記積算信号を積算アナログ出力に変換する積算アナログ出力部と、
前記積算信号に基づいて電文および積算パルス信号を出力する電文パルス出力部と、
前記検針盤の種類により、前記積算アナログ出力部または電文パルス出力部の一方のみを選択して出力する切替部と、
を有する流体使用量メータ。
【請求項２】
流体の使用量に応じた信号を検針盤に送る流体使用量メータにおいて、
流体の使用量に比例して回転する羽根車と、
この羽根車とともに回転する永久磁石と、
この永久磁石の回転を検出してパルスを出力する磁気センサと、
前記パルスに基づいて前記羽根車の回転の正逆を判定して正逆信号を出力する正逆判定部と、
前記パルスに基づいて回転検出を行ない、計量パルスを出力する回転検出部と、
前記正逆信号および計量パルスに基づいて積算して積算信号を出力する積算計算部と、
前記積算信号を積算アナログ出力に変換する積算アナログ出力部と、
前記積算信号に基づいて電文および積算パルス信号を出力する電文パルス出力部と、
前記検針盤の種類により、前記積算アナログ出力部または電文パルス出力部の一方にのみ選択的に前記積算信号を送る切替部と、
を有する流体使用量メータ。
【請求項３】
前記切替部は手動で切り替えられること、を特徴とする請求項１または２に記載の流体使用量メータ。
【請求項４】
前記切替部は、外部からの電気信号によって切り替えられること、を特徴とする請求項１または２に記載の流体使用量メータ。
【請求項５】
前記切替部は、前記検針盤からの電気信号に基づいて切り替えられること、を特徴とする請求項４に記載の流体使用量メータ。
【請求項６】
流体の使用量に応じた信号を検針盤に送る流体使用量測定方法において、
流体の使用量に比例して羽根車および永久磁石を回転させ、
前記永久磁石の回転を検出してパルスを出力し、
前記パルスに基づいて前記羽根車の回転の正逆を判定して正逆信号を出力し、
前記パルスに基づいて回転検出を行なって計量パルスを出力し、
前記正逆信号および計量パルスに基づいて積算して積算信号を出力し、
前記積算信号を積算アナログ出力に変換し、
前記積算信号に基づいて電文および積算パルス信号を出力し、
前記検針盤の種類により、前記積算アナログ出力または電文パルス出力の一方のみを選択して出力する、流体使用量測定方法。
【請求項７】
流体の使用量に応じた信号を検針盤に送る流体使用量測定方法において、
流体の使用量に比例して羽根車および永久磁石を回転させ、
前記永久磁石の回転を検出してパルスを出力し、
前記パルスに基づいて前記羽根車の回転の正逆を判定して正逆信号を出力し、
前記パルスに基づいて回転検出を行なって計量パルスを出力し、
前記正逆信号および計量パルスに基づいて積算して積算信号を出力し、
前記検針盤の種類により、前記積算信号を積算アナログ出力に変換するか、または、前記積算信号に基づいて電文および積算パルス信号を出力するかの一方のみを選択的に行なう、流体使用量測定方法。
【発明の詳細な説明】
【技術分野】
【０００１】
本発明は、電磁誘導パルスなどのパルスを用いて水道使用量などを測定する流体使用量メータおよび流体使用量測定方法に関する。
【背景技術】
【０００２】
水道使用量を測定する使用量メータとして、従来は機械的なアナログ式のものが多く使用され、水道管に設置した使用量メータのアナログ電気出力をケーブルで伝送して検針盤でデジタル量に変換して表示することが広く行なわれている（特許文献１参照）。
【０００３】
すなわちアナログ式の使用量メータでは、流体の使用量に比例して回転する羽根車の回転軸上端に接した下部ギア列の回転により、駆動用永久磁石を回転する。駆動用永久磁石の回転に合わせて受動用永久磁石が回転することにより、受動用永久磁石に取り付けられた上部ギア列が回転し、回転レジスタを機械的に動かして積算を行なう。回転レジスタに取り付けられた接点と基板の接点の位置により十進数のアナログ出力の切り替えを行なう。
【０００４】
上述したアナログ出力機能を持つ水道メータにおいては、羽根車の回転をギア列とマグネットカップリングの伝達によって回転レジスタを回転させて積算するため、羽根車を回転させるのに大きな力が必要となり、水の流れの少ない小流量域で器差が大きくなり、新しい計量法に対応できない。
【０００５】
こうした事情に対応できるものとして、羽根車の回転軸と一体で永久磁石を回転させて電磁誘導パルスを発生させ、このパルスを用いて水道使用量などをデジタル的に測定する電子式流体使用量メータが開発されている（特許文献２参照）。
【特許文献１】特公平７−９７４３９号公報
【特許文献２】特開２０００−７４７０９号公報
【発明の開示】
【発明が解決しようとする課題】
【０００６】
従来のアナログ式使用量メータを、電磁誘導パルスを用いた新しい電子式流体使用量メータで置き換える場合に、従来使用されていた検針盤がアナログ式使用量メータに対応したものであるとそのままでは使用できず、電子式使用量メータへの置き換えと同時に検針盤も新しいものに取り替える必要があった。そのため、電子式使用量メータへの置き換えを行なうには多くの費用と時間がかかっていた。
【０００７】
本発明は上記課題を解決するものであって、電子式使用量メータの利点を活かし、しかも従来のアナログ式流体使用量メータに対応した検針盤に接続が可能な、流体使用量メータ、および、かかる流体使用量測定方法を提供することを目的とする。
【課題を解決するための手段】
【０００８】
本発明は上記目的を達成するものであって、本発明に係る流体使用量メータの一つの態様は、流体の使用量に応じた信号を検針盤に送る流体使用量メータにおいて、流体の使用量に比例して回転する羽根車と、この羽根車とともに回転する永久磁石と、この永久磁石の回転を検出してパルスを出力する磁気センサと、前記パルスに基づいて前記羽根車の回転の正逆を判定して正逆信号を出力する正逆判定部と、前記パルスに基づいて回転検出を行ない、計量パルスを出力する回転検出部と、前記正逆信号および計量パルスに基づいて積算して積算信号を出力する積算計算部と、前記積算信号を積算アナログ出力に変換する積算アナログ出力部と、前記積算信号に基づいて電文および積算パルス信号を出力する電文パルス出力部と、前記検針盤の種類により、前記積算アナログ出力部または電文パルス出力部の一方のみを選択して出力する切替部と、を有する。
【０００９】
また、本発明に係る流体使用量メータの他の一つの態様は、流体の使用量に応じた信号を検針盤に送る流体使用量メータにおいて、流体の使用量に比例して回転する羽根車と、この羽根車とともに回転する永久磁石と、この永久磁石の回転を検出してパルスを出力する磁気センサと、前記パルスに基づいて前記羽根車の回転の正逆を判定して正逆信号を出力する正逆判定部と、前記パルスに基づいて回転検出を行ない、計量パルスを出力する回転検出部と、前記正逆信号および計量パルスに基づいて積算して積算信号を出力する積算計算部と、前記積算信号を積算アナログ出力に変換する積算アナログ出力部と、前記積算信号に基づいて電文および積算パルス信号を出力する電文パルス出力部と、前記検針盤の種類により、前記積算アナログ出力部または電文パルス出力部の一方にのみ選択的に前記積算信号を送る切替部と、を有する。
【００１０】
また、本発明に係る流体使用量測定方法の一つの態様は、流体の使用量に応じた信号を検針盤に送る流体使用量測定方法において、流体の使用量に比例して羽根車および永久磁石を回転させ、前記永久磁石の回転を検出してパルスを出力し、前記パルスに基づいて前記羽根車の回転の正逆を判定して正逆信号を出力し、前記パルスに基づいて回転検出を行なって計量パルスを出力し、前記正逆信号および計量パルスに基づいて積算して積算信号を出力し、前記積算信号を積算アナログ出力に変換し、前記積算信号に基づいて電文および積算パルス信号を出力し、前記検針盤の種類により、前記積算アナログ出力または電文パルス出力の一方のみを選択して出力する。
【００１１】
また、本発明に係る流体使用量測定方法の他の一つの態様は、流体の使用量に応じた信号を検針盤に送る流体使用量測定方法において、流体の使用量に比例して羽根車および永久磁石を回転させ、前記永久磁石の回転を検出してパルスを出力し、前記パルスに基づいて前記羽根車の回転の正逆を判定して正逆信号を出力し、前記パルスに基づいて回転検出を行なって計量パルスを出力し、前記正逆信号および計量パルスに基づいて積算して積算信号を出力し、前記検針盤の種類により、前記積算信号を積算アナログ出力に変換するか、または、前記積算信号に基づいて電文および積算パルス信号を出力するかの一方のみを選択的に行なう。
【発明の効果】
【００１２】
本発明によれば、電磁誘導パルスなどのパルスを用いた電子式使用量メータの利点を活かし、しかも従来のアナログ式流体使用量メータに対応した検針盤にも接続が可能である。
【発明を実施するための最良の形態】
【００１３】
以下に図面を用いて本発明の実施形態を説明する。
【００１４】
図１は、本発明に係る流体使用量メータ４０の第１の実施形態の構成を示すブロック図である。管部５１は測定対象流体（たとえば水道）が流れる配管の途中に接続されている。この管部５１内に、流体の使用量に比例して回転する羽根車１が配置されている。羽根車１の回転軸の上端に永久磁石２が取り付けられていて、羽根車１の回転によって永久磁石２が回転磁界を発生するようになっている。
【００１５】
永久磁石２に対向する位置に磁気センサ３、４が配置され、永久磁石２の回転により磁気センサ３、４は電磁誘導パルスを出力する。磁気センサ３、４から得られた電磁誘導パルスは、計算部５の回転検出部５ａおよび正逆判定部５ｂに入力され、電磁誘導パルスの出力状態によって、羽根車の回転の正逆を判定する正逆判定が行なわれて、それぞれ、計量パルス、正逆信号が出力される。これらの計量パルスおよび正逆信号は、計算部５の積算計算部５ｃに送られて、ここで、積算計算により、積算流体使用量が計算される。
【００１６】
積算計算部５ｃでの積算計算結果は、アナログ出力部６と電文パルス出力部７に入力される。アナログ出力部６は、検針盤９がアナログ式流体使用量メータに対応した機能を有する場合に適用できるように、計算部５の積算値を１桁ずつ１０進数のアナログ出力に変換を行なう。一方、電文パルス出力部７は、検針盤９が電子式流体使用量メータに対応した機能を有する場合に適用できるように、計算部５の積算値を電文およびパルスとして出力する機能を有する。
【００１７】
アナログ出力部６および電文パルス出力部７の出力側は、一つの切替部８に接続されている。この切替部８は、アナログ出力部６または電文パルス出力部７の一方のみを選択してその選択された方の信号のみを、ケーブル１０を通じて、メータ外に設置された検針盤９に送るようになっている。切替部８の切替は、検針盤９の種類に対応して行なわれるもので、たとえば手動で行なわれる。また、ケーブル１０側から切替部８に電気信号を送ることによって切り替える構造としてもよい。さらに、検針盤９からの信号を、切替部８に接続された制御部１２で自動認識することによって、切替部８を自動的に切り替えるようにしてもよい。
【００１８】
以上説明した本発明の実施形態によれば、従来のアナログ出力機能を持つメータが設置されている需要家に対して、検針盤を交換することなく、メータのみを電子式のものに置き換えて設置することができる。また、その後、従来設置されていたアナログ入力式の検針盤が故障して電文／パルス入力式の検針盤に変更する場合に、メータを交換する必要がない。
【００１９】
次に、図２を用いて本発明に係る流体使用量メータの第２の実施形態を説明する。ただし、図１と同一または類似の部分には共通の符号を付し、重複説明は省略する。この実施形態では、切替部８が積算計算部５ｃのすぐ下流側に接続され、積算計算部５ｃの出力は、アナログ出力部６または電文パルス出力部７の一方にのみ入力される。そして、アナログ出力部６の出力側および電文パルス出力部７の出力側は、切替部を介さずにケーブル１０に接続されている。
【００２０】
この実施形態では、アナログ出力部６および電文パルス出力部７のうちの、切替部８で選択された一方のみに積算計算部５ｃの出力信号が送られるので、アナログ出力部６および電文パルス出力部７のうちの必要な方のみが動作するので無駄が少ない。その他の作用・効果は第１の実施形態と同様である。
【図面の簡単な説明】
【００２１】
【図１】本発明に係る流体使用量メータの第１の実施形態の構成を示すブロック図である。
【図２】本発明に係る流体使用量メータの第２の実施形態の構成を示すブロック図である。
【符号の説明】
【００２２】
１…羽根車
２…永久磁石
３…磁気センサ
４…磁気センサ
５…計算部
５ａ…回転検出部
５ｂ…正逆判定部
５ｃ…積算計算部
６…アナログ出力部
７…電文パルス出力部
８…切替部
９…検針盤
１０…ケーブル
１２…制御部
４０…流体使用量メータ
５１…管部
【図１】
2006250780.tif 000003
【図２】
2006250780.tif 000004